(57)【特許請求の範囲】
【請求項１】
二山クレビス形の第１支持部と一山クレビス形の第２支持部を揺動自在に連結するために、前記第１支持部に貫通した第１貫通穴と前記第２支持部に貫通した第２貫通穴を一致させて、抜け止め用の鍔部を基端部に有すると共に、割りピンを外周方向から挿通可能な第１挿通穴を先端部に有する円柱状のコッターを挿入することを補助するコッター挿入補助具であって、
前記第１貫通穴及び前記第２貫通穴に挿通可能な外径を有する円柱状の第１軸部、この第１軸部の先端部に向かって縮径した挿入端部、及び前記第１軸部の基端部に形成され、前記コッターの先端部が嵌合可能に軸方向に窪んだ凹部を有する補助具本体と、
前記補助具本体の凹部に嵌合可能な第２軸部を一端部に有し、落下防止用の第１紐体を他端部に繋留した円柱状の連結具と、を備え、
前記補助具本体の凹部は、互いに対向するように内壁から突出し、前記コッターの第１挿通穴の開口端に嵌合可能な一対の半球状の突起を有し、
前記連結具の第２軸部は、外周方向に貫通した第２挿通穴を端部に有し、
前記第２挿通穴の開口端は、一対の前記突起に嵌合でき、
前記補助具本体は、前記コッターを前記凹部に連結した状態で、前記第１貫通穴及び前記第２貫通穴から当該補助具本体を通過可能に引き抜くための第２紐体を繋留可能な穴部を前記挿入端部に有する、コッター挿入補助具。
【請求項２】
二山クレビス形の第１支持部と一山クレビス形の第２支持部を揺動自在に連結するために、前記第１支持部に貫通した第１貫通穴と前記第２支持部に貫通した第２貫通穴を一致させて、抜け止め用の鍔部を基端部に有すると共に、割りピンを外周方向から挿通可能な第１挿通穴を先端部に有する円柱状のコッターを挿入することを補助するコッター挿入補助具を用いて、前記コッターを前記第１貫通穴及び前記第２貫通穴に挿入するコッターの挿入方法であって、
コッター挿入補助具は、
前記第１貫通穴及び前記第２貫通穴に挿通可能な外径を有する円柱状の第１軸部、この第１軸部の先端部に向かって縮径した挿入端部、及び前記第１軸部の基端部に形成され、前記コッターの先端部が嵌合可能に軸方向に窪んだ凹部を有する補助具本体と、
前記補助具本体の凹部に嵌合可能な第２軸部を一端部に有し、落下防止用の第１紐体を他端部に繋留した円柱状の連結具と、を備え、
前記補助具本体の凹部は、互いに対向するように内壁から突出し、前記コッターの第１挿通穴の開口端に嵌合可能な一対の半球状の突起を有し、
前記連結具の第２軸部は、開口端が一対の前記突起に嵌合可能な第２挿通穴を有し、
前記補助具本体は、前記コッターを前記凹部に連結した状態で、前記第１貫通穴及び前記第２貫通穴から当該補助具本体を通過可能に引き抜くための第２紐体を繋留可能な穴部を前記挿入端部に有し、
前記第１紐体を前記連結具に繋留した状態で、前記補助具本体の凹部に前記第２軸部を挿入して、前記補助具本体と前記連結具を連結する第１工程と、
前記補助具本体と前記連結具を連結した状態で、前記挿入端部を先頭にして前記第１貫通穴及び前記第２貫通穴に挿入する第２工程と、
前記第１支持部の一方の端面から前記挿入端部が突出した状態で、当該挿入端部に前記第２紐体を繋留する第３工程と、
前記第２紐体を保持すると共に前記第１紐体を引いて、前記補助具本体から前記連結具を取り外す第４工程と、
前記補助具本体の凹部に前記コッターの先端部を挿入して、一対の前記突起を前記第１挿通穴に嵌合させる第５工程と、
前記鍔部が前記第１支持部の他方の端面に当接するまで、前記第２紐体を引いて前記補助具本体及び前記コッターを移動させる第６工程と、
前記鍔部が前記第１支持部の他方の端面に当接した状態で、前記第２紐体を引いて、前記コッターから前記補助具本体を取り外す第７工程と、含んでいるコッターの挿入方法。
【発明の詳細な説明】
【技術分野】
【０００１】
本発明は、コッター挿入補助具に関する。特に、懸垂碍子などの端部に設けたクレビス形支持部に貫通した第１貫通穴と、このクレビス形支持部に連結する支持部材に貫通した第２貫通穴を一致させて、コッターの挿入を容易にする補助具の構造に関する。
【背景技術】
【０００２】
碍子は、その本体が磁器で構成されている。一般に、碍子は、電線と支持部材の間に介在され、電線を絶縁支持している。例えば、複数の懸垂碍子が複数のコッターで連結された、いわゆる碍子連は、その一端部が電柱又は鉄塔に支持され、その他端部に電線を張設している。
【０００３】
図１１は、上記のように連設された懸垂碍子の正面図であり、一部を断面で示している。図１１を参照すると、懸垂碍子７は、磁器で形成された傘状の本体７０を備えている。又、懸垂碍子７は、二山クレビス形の第１支持部７１と、一山クレビス形の第２支持部７２を備えている。第１支持部７１は、本体７０の上部に突出している。第２支持部７２は、本体７０の下部に突出している。
【０００４】
図１１を参照すると、第１支持部７１に貫通した第１貫通穴７１ｈと、第２支持部７２に貫通した第２貫通穴７２ｈを一致させて、円柱状のコッター８を挿入することにより、コッター８を中心として複数の懸垂碍子７を揺動可能に連結できる。なお、複数の懸垂碍子７を連結後に、コッター８には、脱落防止用の割りピン８ｐが取り付けられる。
【０００５】
図１１を参照すると、例えば、ＪＩＳで規格された大型の懸垂碍子７は、第２貫通穴７２ｈが本体７０の内部に一部重なって開口している。このため、コッター８の先端部を第１貫通穴７１ｈに部分的に挿入した状態で、第１支持部７１の二山クレビスの間に第２支持部７２の一山クレビスをスライドして、第１貫通穴７１ｈと第２貫通穴７２ｈを完全に一致させた後に、コッター８を挿入していた。
【０００６】
しかし、コッター８の先端部が平坦なことから、第１貫通穴７１ｈと第２貫通穴７２ｈが完全に一致するまで、コッター８の挿入が困難なこと、及び第１貫通穴７１ｈと第２貫通穴７２ｈが完全に一致していることを視覚的に確認することが容易でないことなどから、コッターの挿入作業に労力と時間を費やしていた。
【０００７】
このような不具合を解消するため、懸垂碍子などに設けたクレビス形の貫通穴に、コッターを容易に挿入できるように、コッターの挿入を補助するコッター挿入補助具が開示されている（例えば、特許文献１参照）。
【０００８】
特許文献１によるコッター挿入補助具は、コッターの先端部を挿入可能な内部が中空の円筒状の嵌合部と、嵌合部に連続して徐々に収斂するように略円錐形に形成された内部が中実の尖端部で構成されている。そして、コッターの先端部を嵌合部に挿入した状態で、尖端部をクレビス形の貫通穴に打ち込み、コッターがクレビス形の貫通穴の貫通後に、コッター挿入補助具を引き抜くことにより、コッターを容易に挿入できる、としている。
【先行技術文献】
【特許文献】
【０００９】
【特許文献１】特開２００８−８４７３１号公報
【発明の概要】
【発明が解決しようとする課題】
【００１０】
しかしながら、特許文献１によるコッター挿入補助具は、高所での作業中に落下させてしまう心配があり、落下防止対策が求められていた。又、特許文献１によるコッター挿入補助具は、尖端部が円錐形に形成されているので、把持し難く、コッターが引き抜き難く、コッターから引き抜いた後は、コッター挿入補助具を落下させる心配があった。コッターを懸垂碍子に装着後に、コッター挿入補助具を容易に落下させない対策が求められていた。そして、以上のことが本発明の課題といってよい。
【００１１】
本発明は、このような課題に鑑みてなされたものであり、従来のコッター挿入補助具の不具合を解消すると共に、懸垂碍子などに設けたクレビス形の貫通穴に、コッターを容易に挿入できるように、コッターの挿入を補助するコッター挿入補助具を提供することを目的とする。
【課題を解決するための手段】
【００１２】
本発明者らは、第１紐体付き連結具を補助具本体の基端部に挿入してコッター挿入補助具の落下を防止すると共に、補助具本体をクレビス形の貫通穴に挿入した後に、連結具に変えてコッターを補助具本体の基端部に挿入し、補助具本体の先端部に第２紐体を繋留して補助具本体を引くことで、クレビス形の貫通穴にコッターを容易に挿入できると考え、これに基づいて、以下のような新たなコッター挿入補助具を発明するに至った。
【００１３】
（１）本発明によるコッター挿入補助具は、二山クレビス形の第１支持部と一山クレビス形の第２支持部を揺動自在に連結するために、前記第１支持部に貫通した第１貫通穴と前記第２支持部に貫通した第２貫通穴を一致させて、抜け止め用の鍔部を基端部に有すると共に、割りピンを外周方向から挿通可能な第１挿通穴を先端部に有する円柱状のコッターを挿入することを補助するコッター挿入補助具であって、前記第１貫通穴及び前記第２貫通穴に挿通可能な外径を有する円柱状の第１軸部、この第１軸部の先端部に向かって縮径した挿入端部、及び前記第１軸部の基端部に形成され、前記コッターの先端部が嵌合可能に軸方向に窪んだ凹部を有する補助具本体と、前記補助具本体の凹部に嵌合可能な第２軸部を一端部に有し、落下防止用の第１紐体を他端部に繋留した円柱状の連結具と、を備え、前記補助具本体の凹部は、互いに対向するように内壁から突出し、前記コッターの第１挿通穴の開口端に嵌合可能な一対の半球状の突起を有し、前記連結具の第２軸部は、外周方向に貫通した第２挿通穴を端部に有し、前記第２挿通穴の開口端は、一対の前記突起に嵌合できる。
【００１４】
（２）前記補助具本体は、前記コッターを前記凹部に連結した状態で、前記第１貫通穴及び前記第２貫通穴から当該補助具本体を通過可能に引き抜くための第２紐体を繋留可能な穴部を前記挿入端部に有することが好ましい。
【００１５】
（３）本発明によるコッターの挿入方法は、二山クレビス形の第１支持部と一山クレビス形の第２支持部を揺動自在に連結するために、前記第１支持部に貫通した第１貫通穴と前記第２支持部に貫通した第２貫通穴を一致させて、抜け止め用の鍔部を基端部に有すると共に、割りピンを外周方向から挿通可能な第１挿通穴を先端部に有する円柱状のコッターを挿入することを補助するコッター挿入補助具を用いて、前記コッターを前記第１貫通穴及び前記第２貫通穴に挿入するコッターの挿入方法であって、コッター挿入補助具は、前記第１貫通穴及び前記第２貫通穴に挿通可能な外径を有する円柱状の第１軸部、この第１軸部の先端部に向かって縮径した挿入端部、及び前記第１軸部の基端部に形成され、前記コッターの先端部が嵌合可能に軸方向に窪んだ凹部を有する補助具本体と、前記補助具本体の凹部に嵌合可能な第２軸部を一端部に有し、落下防止用の第１紐体を他端部に繋留した円柱状の連結具と、を備え、前記補助具本体の凹部は、互いに対向するように内壁から突出し、前記コッターの第１挿通穴の開口端に嵌合可能な一対の半球状の突起を有し、前記連結具の第２軸部は、開口端が一対の前記突起に嵌合可能な第２挿通穴を有し、前記補助具本体は、前記コッターを前記凹部に連結した状態で、前記第１貫通穴及び前記第２貫通穴から当該補助具本体を通過可能に引き抜くための第２紐体を繋留可能な穴部を前記挿入端部に有し、前記第１紐体を前記連結具に繋留した状態で、前記補助具本体の凹部に前記第２軸部を挿入して、前記補助具本体と前記連結具を連結する第１工程と、前記補助具本体と前記連結具を連結した状態で、前記挿入端部を先頭にして前記第１貫通穴及び前記第２貫通穴に挿入する第２工程と、前記第１支持部の一方の端面から前記挿入端部が突出した状態で、当該挿入端部に前記第２紐体を繋留する第３工程と、前記第２紐体を保持すると共に前記第１紐体を引いて、前記補助具本体から前記連結具を取り外す第４工程と、前記補助具本体の凹部に前記コッターの先端部を挿入して、一対の前記突起を前記第１挿通穴に嵌合させる第５工程と、前記鍔部が前記第１支持部の他方の端面に当接するまで、前記第２紐体を引いて前記補助具本体及び前記コッターを移動させる第６工程と、前記鍔部が前記第１支持部の他方の端面に当接した状態で、前記第２紐体を引いて、前記コッターから前記補助具本体を取り外す第７工程と、含んでいる。
【発明の効果】
【００１６】
本発明によるコッター挿入補助具は、コッターの先端部が嵌合可能に軸方向に窪んだ凹部を有する補助具本体と補助具本体の凹部に嵌合可能な第２軸部を一端部に有する連結具で構成し、補助具本体の凹部は、互いに対向するように内壁から突出し、コッターの第１挿通穴の開口端、又は第２軸部に設けた第２挿通穴の開口端に嵌合可能な一対の半球状の突起を有するので、クレビス形の貫通穴にコッターを容易に挿入できる。
【００１７】
又、本発明によるコッター挿入補助具は、連結具に第１紐体を繋留していると共に、補助具本体には第２紐体を繋留できるので、連結具及び補助具本体の落下を防止できる。
【図面の簡単な説明】
【００１８】
【図１】本発明の一実施形態によるコッター挿入補助具の構成を示す斜視図であり、一組の懸垂碍子がコッターで連結される前の状態を斜視分解組立図で示している。
【図２】前記実施形態によるコッター挿入補助具の構成を示す斜視図であり、図２（Ａ）は、補助具本体と連結具が連結した状態図、図２（Ｂ）は、補助具本体から連結具が離間した状態図、図２（Ｃ）は、補助具本体にコッターを挿入する前の状態図、図２（Ｄ）は、補助具本体にコッターを挿入した状態図である。
【図３】前記実施形態によるコッター挿入補助具の構成を示す正面図であり、図３（Ａ）は、補助具本体と連結具が連結した状態図、図３（Ｂ）は、補助具本体から連結具が離間した状態図、図３（Ｃ）は、補助具本体にコッターを挿入する前の状態図、図３（Ｄ）は、補助具本体にコッターを挿入した状態図である。
【図４】前記実施形態によるコッター挿入補助具の正面図であり、一組の懸垂碍子にコッター挿入補助具を挿入する直前の状態図である。
【図５】前記実施形態によるコッター挿入補助具の正面図であり、一組の懸垂碍子にコッター挿入補助具を挿入した状態図である。
【図６】前記実施形態によるコッター挿入補助具の正面図であり、補助具本体に第２紐体を繋留した状態図である。
【図７】前記実施形態によるコッター挿入補助具の正面図であり、補助具本体から連結具を取り外した状態図である。
【図８】前記実施形態によるコッター挿入補助具の正面図であり、補助具本体にコッターを挿入する前の状態図である。
【図９】前記実施形態によるコッター挿入補助具の正面図であり、補助具本体にコッターを挿入した状態図である。
【図１０】前記実施形態によるコッター挿入補助具の正面図であり、コッターから補助具本体を取り外した状態図である。
【図１１】コッターで連設された懸垂碍子の正面図であり、一部を断面で示している。
【発明を実施するための形態】
【００１９】
以下、図面を参照して本発明を実施するための形態を説明する。なお、本発明によるコッター挿入補助具は、連設された複数の懸垂碍子にコッターの挿入を補助する実施例を好適な実施形態として説明する。
【００２０】
［コッター挿入補助具の構成］
最初に、本発明の一実施形態によるコッター挿入補助具の構成を説明する。図１は、本発明の一実施形態によるコッター挿入補助具の構成を示す斜視図であり、一組の懸垂碍子がコッターで連結される前の状態を斜視分解組立図で示している。
【００２１】
図２は、前記実施形態によるコッター挿入補助具の構成を示す斜視図であり、図２（Ａ）は、補助具本体と連結具が連結した状態図、図２（Ｂ）は、補助具本体から連結具が離間した状態図、図２（Ｃ）は、補助具本体にコッターを挿入する前の状態図、図２（Ｄ）は、補助具本体にコッターを挿入した状態図である。
【００２２】
図３は、前記実施形態によるコッター挿入補助具の構成を示す正面図であり、図３（Ａ）は、補助具本体と連結具が連結した状態図、図３（Ｂ）は、補助具本体から連結具が離間した状態図、図３（Ｃ）は、補助具本体にコッターを挿入する前の状態図、図３（Ｄ）は、補助具本体にコッターを挿入した状態図である。なお、図１１に開示された符号と同じ符号を有する構成品は、その作用を同一とするので、以下の説明では割愛する場合がある。
【００２３】
図１から図３を参照すると、本発明の一実施形態によるコッター挿入補助具（以下、補助具と略称する）１０は、補助具本体１と円柱状の連結具２を備えている。補助具本体１は、円柱状の軸部１ａ、挿入端部１ｂ、及び凹部１ｃを有している。軸部１ａは、第１貫通穴７１ｈ及び第２貫通穴７２ｈに挿通可能な外径Ｄ１を有している（図１参照）。挿入端部１ｂは、軸部１ａの先端部に形成され、軸部１ａの先端部に向かって縮径している。凹部１ｃは、コッター８の先端部が嵌合可能に軸方向に窪んでいる。補助具本体１は、アルミニウム合金などからなることが好ましい。
【００２４】
図１から図３を参照すると、連結具２は、第２軸部２ａを一端部に形成し、タブ２ｂを他端部に突出している。第２軸部２ａは、補助具本体１の凹部１ｃに嵌合できる。タブ２ｂは、取り付け孔２１ｂを端部に開口している。第１紐体２１の一端部を取り付け孔２１ｂに挿通して、第１紐体２１の一端部を連結具２に繋留している（図１参照）。図１を参照して、補助具本体１に連結具２を連結した状態で、第１紐体２１の他端部を作業員などに繋留しておけば、補助具１０の落下を防止できる。
【００２５】
図１から図３を参照すると、コッター８は、円柱状の軸部８ａと軸部８ａの基端部に設けた鍔部８ｂで構成している。又、鍔部８ｂは、軸部８ａの外径と同じ幅になるように、外周の一部が切り欠かれた一対の平端部８１ｂ・８１ｂを有している。これにより、コッター８を第１貫通穴７１ｈ及び第２貫通穴７２ｈに挿入又は抜去するときに、鍔部８ｂが本体７０の底面に波状に突出した襞７ａ（図１１参照）に当接し難くなる。更に、コッター８は、脱落防止用の割りピン８ｐを挿通するための第１挿通穴８１ａを軸部８ａの先端部側に開口している。
【００２６】
図２又は図３を参照すると、補助具本体１の凹部１ｃは、一対の半球状の突起１ｄ・１ｄを有している。これらの突起１ｄ・１ｄは、互いに対向するように、凹部１ｃの内壁から突出している。そして、一対の突起１ｄ・１ｄは、コッター８の第１挿通穴８１ａの開口端に嵌合できる（図３（Ｄ）参照）。
【００２７】
又、図２又は図３を参照すると、連結具２の第２軸部２ａは、外周方向に貫通した第２挿通穴２１ａを端部に有している。第２軸部２ａを凹部１ｃに挿入すると、第２挿通穴２１ａの開口端は、一対の突起１ｄ・１ｄに嵌合できる。
【００２８】
図２又は図３を参照すると、このように、凹部１ｃには、コッター８の軸部８ａを挿入して一対の突起１ｄ・１ｄで保持することもでき、連結具２の第２軸部２ａを挿入して一対の突起１ｄ・１ｄで保持することもできる。なお、コッター８の軸部８ａ、又は連結具２の第２軸部２ａの挿入を容易にするために、凹部１ｃには、一対のスリット１ｓ・１ｓを設けている。
【００２９】
図１を参照して、第１支持部７１に貫通した第１貫通穴７１ｈと第２支持部７２に貫通した第２貫通穴７２ｈを一致させて、挿入端部１ｂを先頭にして、第１貫通穴７１ｈ及び第２貫通穴７２ｈに軸部１ａを挿入することができる。軸部１ａは、第１支持部７１の両端面から延出するように、軸部１ａの挿入長さＬが規定されている（図５参照）。
【００３０】
図１から図３を参照すると、補助具本体１は、外周方向に貫通した穴部１１ｂを挿入端部１ｂに有している。第２紐体１２の一端部を穴部１１ｂに挿通して、第２紐体１２の一端部を補助具本体１に繋留できる（図６参照）。
【００３１】
図１から図３を参照して、コッター８を補助具本体１の凹部１ｃに連結した状態で、第２紐体１２を引くことで、第１貫通穴７１ｈ及び第２貫通穴７２ｈから補助具本体１を通過可能に引き抜くことができる（図９参照）。図１０を参照して、第２紐体１２の他端部を作業員などに繋留しておけば、補助具本体１の落下を防止できる。
【００３２】
［コッター挿入補助具の作用］
次に、一組の懸垂碍子７・７を連結する手順を説明しながら、実施形態による補助具１０の作用及び効果を説明する。
【００３３】
図４は、前記実施形態によるコッター挿入補助具の正面図であり、一組の懸垂碍子にコッター挿入補助具を挿入する直前の状態図である。図５は、前記実施形態によるコッター挿入補助具の正面図であり、一組の懸垂碍子にコッター挿入補助具を挿入した状態図である。図６は、前記実施形態によるコッター挿入補助具の正面図であり、補助具本体に第２紐体を繋留した状態図である。図７は、前記実施形態によるコッター挿入補助具の正面図であり、補助具本体から連結具を取り外した状態図である。
【００３４】
図８は、前記実施形態によるコッター挿入補助具の正面図であり、補助具本体にコッターを挿入する前の状態図である。図９は、前記実施形態によるコッター挿入補助具の正面図であり、補助具本体にコッターを挿入した状態図である。図１０は、前記実施形態によるコッター挿入補助具の正面図であり、コッターから補助具本体を取り外した状態図である。
【００３５】
図４を参照して、最初に、第１紐体２１を連結具２に繋留した状態で、補助具本体１の凹部１ｃに連結具２の第２軸部２ａを挿入して、補助具本体１と連結具２を連結しておく（第１工程）。この場合、第１紐体２１の他端部を作業員などに繋留しておけば、補助具１０の落下を防止できる。
【００３６】
次に、図５を参照して、第１支持部７１に貫通した第１貫通穴７１ｈと、第２支持部７２に貫通した第２貫通穴７２ｈを一致させて、補助具本体１と連結具２を連結した状態で、挿入端部１ｂを先頭にして第１貫通穴７１ｈ及び第２貫通穴７２ｈに挿入する（第２工程）。
【００３７】
図５を参照すると、挿入端部１ｂは、第１軸部１ａの先端部に向かって縮径しているので、第１貫通穴７１ｈ及び第２貫通穴７２ｈへの挿入が容易である。又、第１支持部７１の両端面から軸部１ａが延出する程度に、補助具本体１を挿入することが好ましい。
【００３８】
次に、図６を参照して、第１支持部７１の一方の端面から挿入端部１ｂが突出した状態で、挿入端部１ｂに第２紐体１２を繋留する（第３工程）。具体的には、第２紐体１２の一端部を穴部１１ｂに挿通して、第２紐体１２の一端部を補助具本体１に繋留する（図２又は図３参照）。
【００３９】
次に、図７を参照して、第２紐体１２を保持すると共に第１紐体２１を引いて、補助具本体１から連結具２を取り外す（第４工程）。図７に示された状態では、第１紐体２１の他端部を作業員などに繋留しておけば、連結具２の落下を防止できる。又、図７に示された状態では、第１貫通穴７１ｈと第２貫通穴７２ｈが一致した状態を補助具本体１が保持している。
【００４０】
次に、図８を参照して、補助具本体１の凹部１ｃに向かって、軸部８ａを先頭にしてコッター８の軸部８ａを進入する（図２（Ｃ）又は図３（Ｃ）参照）。この場合、コッター８の鍔部８ｂが襞７ａに当接しないように、突起１ｄが正面視できる位置に補助具本体１を配置しておくことが好ましい。
【００４１】
次に、図９を参照して、補助具本体１の凹部１ｃにコッター８の先端部を挿入して、図２（Ｄ）、又は図３（Ｄ）に示すように、一対の突起１ｄ・１ｄを第１挿通穴８１ａに嵌合させる（第５工程）。図９に示された状態では、一対の突起１ｄ・１ｄが第１挿通穴８１ａを嵌合しているので、第２紐体１２を引くことで、補助具本体１と共にコッター８を移動できる。
【００４２】
次に、図１０を参照して、鍔部８ｂが第１支持部７１の他方の端面に当接するまで、第２紐体１２を引いて、補助具本体１及びコッター８を移動させる（第６工程）。次に、鍔部８ｂが第１支持部７１の他方の端面に当接した状態で、第２紐体１２を引いて、コッター８から補助具本体１を取り外す（第７工程）。この場合、補助具本体１には、第２紐体１２の一端部が繋留されているので、第２紐体１２の他端部を作業員などに繋留しておけば、補助具本体１の落下又は紛失を防止できる。
【００４３】
図９に示された状態から図１０に示した状態に至る過程では、補助具本体１を第２紐体１２で引き抜きながら、コッター８を押してもよく、第１貫通穴７１ｈ及び２貫通穴７２ｈにコッター８を容易に進入できる。
【００４４】
実施形態による補助具１０は、コッター８の先端部が嵌合可能に軸方向に窪んだ凹部１ｃを有する補助具本体１と、補助具本体１の凹部１ｃに嵌合可能な第２軸部２ａを一端部に有する連結具２で構成し、補助具本体１の凹部１ｃは、互いに対向するように内壁から突出し、コッター８の第１挿通穴８１ａの開口端、又は第２軸部２ａに設けた第２挿通穴２１ａの開口端に嵌合可能な一対の半球状の突起１ｄ・１ｄを有するので、クレビス形の貫通穴にコッター８を容易に挿入できる。
【００４５】
又、実施形態による補助具１０は、連結具２に第１紐体２１を繋留していると共に、補助具本体１には第２紐体１２を繋留できるので、連結具２及び補助具本体１の落下を防止できる。本発明によるコッターの挿入方法は、第１支持部７１を上部に有し、第２支持部７２を下部に有する複数の懸垂碍子７を容易に連結できる（図１）。そして、複数の懸垂碍子７を連結する作業を安全かつ効率的に実施できる。
【００４６】
本発明によるコッター挿入補助具は、クレビス形支持部を有する碍子を支持部材にコッターで連結するため有用な実施形態を開示したが、これに限定されない。本発明によるコッター挿入補助具は、クレビス形支持部を有するシリンダなどのアクチュエータを支持部材にコッターで連結する場合に適用でき、電気工事のみならず、機械の組立作業にも適用でき、応用範囲を広くすることができる。
【符号の説明】
【００４７】
１  補助具本体
１ａ  第１軸部
１ｂ  挿入端部
１ｃ  凹部
１ｄ・１ｄ  一対の突起
２  連結具
２ａ  第２軸部
８  コッター
８ｂ  鍔部
８ｐ  割りピン
１０  補助具（コッター挿入補助具）
２１  第１紐体
２１ａ  第２挿通穴
７１  第１支持部
７１ｈ  第１貫通穴
７２  第２支持部
７２ｈ  第２貫通穴
【図１】
0005635143.tif 000002
【図２】
0005635143.tif 000003
【図３】
0005635143.tif 000004
【図４】
0005635143.tif 000005
【図５】
0005635143.tif 000006
【図６】
0005635143.tif 000007
【図７】
0005635143.tif 000008
【図８】
0005635143.tif 000009
【図９】
0005635143.tif 000010
【図１０】
0005635143.tif 000011
【図１１】
0005635143.tif 000012